(57)【要約】【課題】  シンプルですっきりとした外観の高天井のオフィス用空間を、階高を大きくすることなく提供することを目的とする。【解決手段】  オフィス空間内で大梁及び小梁の上端面に水平パネルを載置させた直天井システムを採用する部分の全ての大梁２と小梁４との各下端面を、各梁成の統一により面一とし、これら全ての大梁２及び小梁４の下端面に、該下端面を覆う化粧部材兼用のダクト部材２0を形成した。又、それら全ての大梁２及び小梁４下方のダクト部材20の下面を面一とした。【選択図】  図１
2005290910.tif 000002
【特許請求の範囲】
【請求項１】
オフィス空間内で大梁及び小梁の上端面に水平パネルを載置させた直天井システムを採用する部分の全ての大梁２と小梁４との各下端面を、各梁成の統一により面一とし、これら全ての大梁２及び小梁４の下端面に、該下端面を覆う化粧部材兼用のダクト部材２0を形成したことを特徴とする、オフィス空間用直天井システム。
【請求項２】
上記ダクト部材２0の下端面を全て面一としたことを特徴とする、請求項１記載のオフィス空間用直天井システム。
【請求項３】
上記ダクト部材２0を、上記各梁の下端面とほぼ同巾に形成したことを特徴とする、請求項１又は請求項２記載のオフィス空間用直天井システム。
【請求項４】
上記大梁２及び小梁４の成を、柱間スパンの１／２０程度としたことを特徴とする、請求項１、請求項２又は請求項３記載のオフィス空間用直天井システム。
【請求項５】
上記ダクト部材２0の両側に、該ダクト部材２0下面とほぼ同じ高さに照明器具50を吊下させたことを特徴とする、請求項1、請求項２、請求項３又は請求項４記載のオフィス空間用直天井システム。
【請求項６】
上記ダクト部材２0の下面及び側面から上記各大梁２乃至小梁４の側面に亘って耐火被覆材６を形成したことを特徴とする、請求項１、請求項２、請求項３、請求項４又は請求項５記載のオフィス空間用直天井システム。
【発明の詳細な説明】
【技術分野】
【０００１】
本発明は、オフィス空間用直天井システムに関する。
【背景技術】
【０００２】
オフィス空間用の天井システムとしては、梁材の上下両側に支持された床パネル及び天井パネルからなる２重天井の内部に各種ダクトを装備したものが良く使用されているが、天井下の居住空間を広くとるために、梁材を中空筒状としてその内部にダクトを形成することが提案されている。（特許文献１、特許文献２）。
【０００３】
ところが近年では、更に広々とした空間を確保するため、図10に示す如く従来の天井パネルを取り除いた直天井システムが良く着目されている（非特許文献１）。
【特許文献１】特開平１−１４２１４３号
【特許文献２】特開平７−１０９７８６号
【非特許文献１】株式会社新建築社発行「新建築」2003年８月号Ｐ120〜127
【発明の開示】
【発明が解決しようとする課題】
【０００４】
上記非特許文献１では、天井パネルを取り除くことで普段見ることのない梁やダクトが剥き出しとなっており、解放感があるが雑多感のある空間を創り出している。このような空間も建物の用途によっては悪くはないが、作業に集中したい事務室や高級感が必要な商業店舗などでは広くてすっきり感のある空間の方が好まれる。又、ダクトで梁を貫通させているため、所要強度を確保するために梁成を大きくしなければならず、余計に梁が目立つこととなる。
【０００５】
そこで本発明は、すっきりとした統一感のある大空間をオフィスビルに実現するため、全ての大梁と小梁との各下端面を、各梁成の統一により面一とし、これら全ての大梁及び小梁の下端面に、これら端面を覆う化粧部材を兼ねたダクト部材を形成した直天井システムを提供することを目的とする。
【課題を解決するための手段】
【０００６】
第１の手段は、オフィス空間内で大梁及び小梁の上端面に水平パネルを載置させた直天井システムを採用する部分の全ての大梁２と小梁４との各下端面を、各梁成の統一により面一とし、これら全ての大梁２及び小梁４の下端面に、該下端面を覆う化粧部材兼用のダクト部材２0を形成したオフィス空間用直天井システムとして構成している。
【０００７】
尚、本明細書及び特許請求の範囲において、「オフィス空間」とは、狭義の事務用オフィスの他、学校、研究所、図書館、美術館、博物館、集会所などの知的活動やコミュニケーションを行なう施設で、高天井が望まれる空間を含むものとする。
又、「直天井」とは、仕上げの有無に拘らず、天井を構成する梁材の過半部分が下方に露出している構成のものをいい、例えば水平パネル（デッキプレート）の近くに吸音材・仕上げ材としての機能を有する補助パネルを横設した構造を含むものとする。
又、「直天井システムを採用する部分」とは、例えばオフィス空間のうち人目に触れ難い外縁部分を二重天井とし、それ以外の天井部分に直天井システムを採用した場合の当該天井部分を含む趣旨である。
第２の手段は、上記第1の手段を有し、かつ上記ダクト部材２0の下端面を全て面一としている。
第３の手段は、上記第１の手段又は第２の手段を有し、かつ上記ダクト部材２0を、上記各梁の下端面とほぼ同巾に形成している。
【０００８】
第４の手段は、上記第１の手段、第２の手段、又は第３の手段を有し、かつ上記大梁２及び小梁４の成を、柱間スパンの１／２０程度としたことを特徴としている。
【０００９】
第５の手段は、上記第１の手段、第２の手段、第３の手段、又は第４の手段を有しかつ上記ダクト部材２0の両側に、該ダクト部材２0下面とほぼ同じ高さに照明器具50を吊下させている。
【００１０】
第６の手段は、上記第１の手段、第２の手段、第３の手段、第４の手段又は第５の手段を有し、上記ダクト部材２0の下面及び側面から上記各大梁２乃至小梁４の側面に亘って耐火被覆材６を形成している。
【発明の効果】
【００１１】
本発明は上記構成のものであり、第１の手段に係る発明は次の効果を生ずる。
○本願天井システムは、全ての大梁２及び小梁４の下面に化粧部材兼用のダクト部材が下方から見て重なるように設けたから、シンプルですっきりとした外観の高天井の空間を、階高を大きくすることなく提供することができる。
○既述特許文献１の如くダクトを梁中に納めるのではなく、梁材下面をダクト部材で覆って隠す構成だから、構造（梁）と設備（ダクト）とを分けて簡易に設置できる。
○これら構造と設備とは設置の手順は別々でも一体的な着想の下で設計されており、特に大梁及び小梁の各下面をダクト設置面として面一に形成したから、両梁の接合部で段差などを生ずることなく、取付が簡単で見た目にも滑らかな仕上がりが得られる。
○ダクト部材２0を、梁材2、4を貫通させずにその下面に設置したから、最小限の材料で十分な強度が得られると同時に、所要の強度を得るために成の小さく目立たない梁を使用することができ、従って更にすっきりとした外観とすることができる。
【００１２】
第２の手段に係る発明では、上記ダクト部材２0を、上記各梁の下端面とほぼ同巾に形成したから、該下端面をより確実に覆うことができる。
【００１３】
第３の手段に係る発明では、上記大梁２及び小梁４の成を、柱間スパンの１／２０程度としたから、一層にシンプルで好適な外観が得られる。
【００１４】
第４の手段に係る発明では、ダクト部材２0の両側に、該ダクト部材２0下面とほぼ同じ高さに照明器具50を吊下させたから、ダクト部材２0によって光が遮断されることがなく好適な照明が得られる。
【００１５】
第５の手段に係る発明では、上記ダクト部材２0の下面及び側面から上記各大梁２乃至小梁４の側面に亘って耐火被覆材６を形成したから、梁材及びダクト部分の外観もすっきりとしたものとすることができる。
【発明を実施するための最良の形態】
【００１６】
図１乃至図７は、本発明の第1実施形態に係る直天井システムを示している。
【００１７】
該天井システムは、大梁２と、小梁４と、水平パネル12と、ダクト部材２0と、照明器具50で構成されている。
【００１８】
大梁２…は、オフィス空間の天井部に、該天井部を下方から俯瞰する図１に破線で描く如く、柱頭部の間を前後方向に架設しており、又、小梁４…は、それら大梁２…の間を左右方向に架設している。これら各小梁４の成は全て同一とし、又、大梁２の成も小梁４の成に一致させて短く形成して、全ての大梁２…及び小梁４…の下面が面一となるように形成している。これら大梁２及び小梁４の成は、できるだけ梁下空間を大きく確保するために柱間スパンの約１／２０程度とすることが望ましい。尚、一つの好適な実施例での図１中の柱間スパンＬの大きさは、10.8ｍである。
【００１９】
図示例では、図２に示す如く上記大梁２の左右側面及び下面を耐火被覆材６で覆っており、かつ、該耐火被覆材を貫通して、大梁２のウェブ部分から左右側外方へ連結アーム8,8を突出している。この連結アームの基端は大梁２のウェブ部分に対して連結金具などを介して連結している。
【００２０】
又、上記小梁４は、図３に示す如くその左右側面及び下面をそれぞれ耐火被覆材６で覆っている。
【００２１】
水平パネル12は、大梁２…及び小梁４…の上端面に支持させて横設している。この天井システムを、複数階の建物に適用する場合には、該水平パネルを床パネルとすることができる。尚、上記水平パネルの下面にはグラスウール14を張設している。
【００２２】
ダクト部材２0は、全ての大梁２…及び小梁４…の下面側に好ましくは格子状に形成されており、全てのダクト部材20の下面も図５から図７に示す如く面一に形成している。ダクト部材２0は、ダクト22と、該ダクトを支持するための枠体26と、該枠体を大梁２乃至小梁４に対して支持するための支持具42とで構成している。
【００２３】
図２は、大梁２から吊り下げた第１のダクト部材２0Ａを示している。このダクト部材は、大梁２に対して支持された、上面開口の巾広で凹字形の枠体26を有し、該枠体内に左右一対の金属製ダクト22Ａ,22Ａを収納している。
【００２４】
上記枠体26は、既述連結アーム8,8の各先端から接合金物27を介して連結棒32,32を垂下するとともに、これら連結棒下端の間に下端材29を架設し、該下端材を介して縦断面凹字形の外装材34を装着してなる。該外装材は、パンチングメタルで形成するとよい。
【００２５】
又、支持具42は、図２の構成では、左右に巾広のダクト部材の中間部分を支持するもので、大梁２の下方フランジ部から垂下した左右一対の支持棒42a,42aの間に横材42ｂを架設するとともに、該横材から長さ調節可能な縦長支持材42ｃを垂下してなり、該支持材下端を上記下端材29の左右方向中間部に連結したものである。
【００２６】
図３は、小梁４から吊り下げた第２のダクト部材20Ｂを示している。このダクト部材のダクトは、グラスウール成形板などで形成した軽量ダクト22Ｂである。又、その枠体26は、上枠28と下枠30と連結棒32…と外装材34とからなり、上記軽量ダクト22Ｂを、該ダクトよりも左右巾広の上下枠28,30で挟んでこれら両枠の両端部を連結棒32…で結合するとともに、上記下枠30の外側に該下枠下面との間に間隙を存して縦断面凹字形の外装材34を装着したものである。該軽量ダクト22Ｂの下板には図４に拡大して示す如く透孔36を穿設しており、該透孔から図１に破線で示す如く側外方へ拡開するディフューザー（吹出し装置）38を、上記下枠30と凹字形外装材34の横板部との間に形成し、かつ該ディフュ−ザーの先端開口を、上記外装材34の側板部に穿設した吹出口40に接続している。尚、図示例ではダクト及び梁材よりも長手方向に短い外装材を複数個継ぎ合せてダクトを覆っている。
【００２７】
そして上記第1ダクト部材の金属ダクト22Ａから第２ダクト部材の軽量ダクト22Ｂにそれぞれ連通し、上記金属ダクト22Ａから軽量ダクト22Ｂを介して、吹出口40より空調空気を吹出すように構成している。
【００２８】
尚、上記において、一つの好適な実施例においては、図６に示す如く階高h4＝4.1mのうちオフィス空間の床面から外装材34下面までの高さh5は、3.0mである。そしてこの例における天井部分の主要な寸法は、図３に示す如く外装材下面から小梁４下面までの高さｈ3は385ｍｍであり、小梁４の成h2は450mmであり、更に小梁４の上面から隣接上位階の床面までの高さｈ1は265mmである。
【００２９】
照明器具50…は、上記小梁４側方の一方乃至両方に梁材の方向に沿って複数配列されている。各照明器具50…は、水平パネル12からワイヤー52で吊下げられており、又、上記第２ダクト部材20Ｂの上枠28両側から斜め下方へ突出した棒状の振れ止め材54で、上記各照明器具50…を固定している。尚、上記照明器具50の下面は、上記ダクト部材20の下面とほぼ同一高さとすると良い。
【００３０】
上記構成によれば、大梁２及び小梁４の梁成を統一してその下面を面一とし、該下面側に格子状のダクト部材を形成したので、建物の構造部分と設備部分とのシンプルな形で融合したオフィス空間を提供することができる。
【００３１】
以下、本発明の他の実施形態の構成を説明する。その際に第１実施形態と同じ構成の部分は同一符号を付することで説明を省略する。
【００３２】
図８は、本発明の第2実施形態を示す図である。この実施形態は、小梁４の側面と、該小梁下面に連結板44を介して連結した軽量ダクト22Ｂの側面及び下面とを耐火被覆材６で囲って連続的に構成したものである。該構成により、更にすっきりとした外観が得られる。尚、図２に示す大梁２及び第１ダクト部材20Ａの周りを一体的に耐火被覆材で覆っても良いことはもちろんである。
【００３３】
図９は、本発明の第３実施形態を示す図である。この実施形態は、上記水平パネル12の下方に、該水平パネルとの間に小間隙を存して、吸音材・仕上げ材などとしての機能を有する補助パネル16を設けたものである。
【図面の簡単な説明】
【００３４】
【図１】本発明の第1の実施形態に係る直天井システムの俯瞰図である。
【図２】図１システムの要部のII-II線断面図である。
【図３】図１システムの他の要部のIII-III線断面図である。
【図４】図３の要部の拡大図である。
【図５】図１システムのIV-IV線断面図である。
【図６】図１システムのＶ-Ｖ線断面図である。
【図７】図１システムを斜め上方から見上げた斜視図である。
【図８】本発明の第２の実施形態の要部断面図である。
【図９】本発明の第３の実施形態の要部断面図である。
【図１０】従来の天井システムの斜視図である。
【符号の説明】
【００３５】
２…大梁  ４…小梁  ６…耐火被覆材  ８…連結アーム 12…水平パネル
14…グラスウール  16…補助パネル  20…ダクト部材  20Ａ…第1ダクト部材
20Ｂ…第２ダクト部材  22…ダクト  22Ａ…金属製ダクト  22Ｂ…軽量ダクト
26…枠体  27…接合金物  28…上枠  29…下端材  30…下枠  32…連結棒
34…外装材  36…透孔
38…ディフュ−ザー  40…吹出口  42…支持具  42a…支持棒  42ｂ…横材
42c…縦長支持材  44…連結板  50…照明器具  52…ワイヤー  54…振れ止め材
【図１】
2005290910.tif 000003
【図２】
2005290910.tif 000004
【図３】
2005290910.tif 000005
【図４】
2005290910.tif 000006
【図５】
2005290910.tif 000007
【図６】
2005290910.tif 000008
【図７】
2005290910.tif 000009
【図８】
2005290910.tif 000010
【図９】
2005290910.tif 000011
【図１０】
2005290910.tif 000012